(57)【特許請求の範囲】
【請求項１】
無線局間で、その間に無線リンクを確立することにより、該無線リンクを介し、データ通信を行なう無線システムであって、
既に無線リンクが確立している屋外ユニットを有する該無線局に、新たな無線リンクを確立するための屋外ユニットを設けて、新たな無線リンクを確立するための該屋外ユニットに通話手段を接続するとともに、該無線局の屋内ユニットに通話手段を接続し、
該無線局の該屋内ユニットに、該無線局の新たな無線リンクを確立するための該屋外ユニットでの通話手段と該無線局の該屋内ユニットでの通話手段と既に無線リンクが確立している該屋外ユニットとのいずれか２つを選択する通話信号音声回線接続先切替回路を設け、
該音声回線接続先切替回路により、新たな無線リンクを確立するための該屋外ユニットでの通話手段と既に無線リンクが確立されている該屋外ユニットとの間の音声回線と、該屋内ユニットでの通話手段と既に無線リンクが確立している該屋外ユニットとの間の音声回線とのいずれかを適宜選択して、既に確立している該無線リンクを含む該無線局間の通話のための回線を設定可能としたことを特徴とする無線システム。
【請求項２】
請求項１において、
既に確立している前記無線リンクを含む前記無線局間の通話のための回線では、前記夫々の通話手段からの通話信号や他の無線局から前記夫々の通話手段への通話信号は、これら通話信号の識別信号とともに、前記無線リンクを介して伝送される情報信号と同じ帯域とするインバンドで伝送されることを特徴とする無線システム。
【発明の詳細な説明】
【０００１】
【発明の属する技術分野】
本発明は、無線局などの複数のノードが分散配置されて構成されるＦＷＡ（Fixed Wireless Access）システムなどの無線システムに係り、特に、ノードの設置や保守・運用に際して行なわれる連絡用の音声通話（オーダーワイヤ）の回線接続に関する。
【０００２】
【従来の技術】
一般に、ＦＷＡシステムなどの無線システムでは、指向性の高いアンテナを用いるため、かかるアンテナの設置時の方向調整が必須となる。ここで、図５により、基地局とユーザ局を一対一に結んで通信を行なうＰ−Ｐ(Point to Point）方式を例として、例えば、ユーザ局の設置時における保守者のアンテナ方向調整の作業手順の一例と、そのときに必要となる音声通話による連絡手段の構成例について説明する。
【０００３】
図５において、基地局１００からユーザ局２００へデータを送信する場合、基地局１００において、このデータが、そのＩＤＵ（屋内ユニット）１０７により、無線フレームヘ挿入されて情報信号となり、さらに、この情報信号が変調など処理されて、接続ケーブル１０６を介し、この基地局１００のＯＤＵ（屋外ユニット）１０１へ送信信号として出力される。このＯＤＵ１０１では、この送信信号が周波数変換され、電力増幅されてアンテナから放射され、この結果、無線リンクによってユーザ局２００のＯＤＵ２０１に接続する。
【０００４】
このユーザ局２００では、ＯＤＵ２０１でアンテナより受信された信号の増幅や周波数変換などの処理が行なわれ、その後、接続ケーブル２０６を介してＩＤＵ２０４へ信号が供給される。ＩＤＵ２０４では、この信号の復調や無線フレームからのデータ抽出などの処理が行なわれ、受信データが再生される。
【０００５】
なお、ユーザ局２００から基地局１００へのデータの流れもあるが、これも、上記と同様であって、その流れが逆になるだけてある。
【０００６】
このような系を構築するにあたり、例えば、ユーザ局２００などの無線局の設置の際に無線リンクを確立するためには、この無線局とこれと無線通信する他の無線局とのＯＤＵのアンテナの向きを最適な方向に固定することが重要となる。
【０００７】
無線局の設置時のそのためのアンテナの方向調整の手順としては、まず、基地局１００，ユーザ局２００双方のＯＤＵ１０１，２０１で設置位置に応じた大まかなアンテナの方向合わせを行なう。次に、一方のＯＤＵ、例えば、基地局１００のＯＤＵ１０１を送信状態とし、他方のＯＤＵ２０１を受信状態として、このＯＤＵ２０１で最大受信電力を得る方向にそのアンテナの方向を微調整する。次いで、これらＯＤＵ１０１，２０１で送信・受信状態を交代し、アンテナ方向の同様の調整操作を行なう。このように、ＯＤＵ１０１，２０１での受信電力最大点を得るためのアンテナの方向調整を交互に、かつ数回繰り返し行なうことにより、これらＯＤＵ１０１，２０１で夫々最適なアンテナの方向を決定するのが一般的である。
【０００８】
また、かかる調整作業においては、基地局１００のＯＤＵ１０１，ＩＤＵ１０７とユーザ局２００のＯＤＵ２０１，ＩＤＵ２０４との夫々の場所担当の保守者１０３，１１０，２０２，２０５間で互いに音声通信が可能な状態とすることが理想的であり、作業効率の点で有利である。
【０００９】
そこで、かかる無線システムで無線局（例えば、ユーザ局２００）を設置する場所には、通常、公衆回線網（基幹網）３００への接続手段があるので、ＩＤＵ１０７，２０４間の音声通話については問題なく行なわれるが、異なる無線局１００，２００でのＯＤＵ１０１，２０１間の音声通話や同じ無線局、例えば、基地局１００内のＩＤＵ１０７，ＯＤＵ１０１間での音声通話の部分で次のような問題が発生する場合がある。
【００１０】
まず、基地局１００，ユーザ局２００でのＯＤＵ１０１，２０１のアンテナの向きを調整する保守者１０３，２０２間で音声通信を行なうための手段としては、ＰＨＳや携帯電話などが利用できる場合もある。しかし、一般に、かかるＯＤＵ１０１，２０１の設置位置は高所であることから、これらＯＤＵ１０１，２０１でのアンテナの向きの調整が可能な位置では、ＰＨＳや携帯電話などの通信手段が使用できない場合が多い。そのため、ＯＤＵ１０１，２０１間の通信手段として、ＰＨＳや携帯電話以外の携帯無線機１０４，２０３が必要となる。
【００１１】
また、アンテナの方向調整を行なうビル屋上には、ＩＤＵ１０７，２０４と連絡するための内線電話などもないのが普通である。そこで、無線局においては、基地局１００を例とすると、そのＩＤＵ１０７とＯＤＵ１０１との間の音声通信回線を確保する手段として、ＯＤＵ１０１とＩＤＵ１０７とに夫々ハンドセット１０２，１０９を接続し、保守者１１０間のインターホンで通信可能とする回路１０５，１０６，１０８を備え、これらで通信経路を構成するような無線システム用の無線局装置が開発されている。
【００１２】
【発明が解決しようとする課題】
従来の無線システムに用いる無線局の保守用音声通信回線は以上のように構成されるが、ＩＤＵのインターホン接続だけでは、無線リンクを確立する無線局間の通話による連絡を採ることができないし、また、かかる無線局のＯＤＵ間の音声通信手段として、確実に通信可能な手段が無線局そのものに装備されていない、などの問題があった。
【００１３】
本発明の目的は、かかる問題を解消し、無線局間の無線リンクの新設や保守・運用に係る音声通信を行なうための回線を容易にかつ確実に得ることができるようにした無線システムを提供することにある。
【００１４】
【課題を解決するための手段】
上記目的を達成するために、本発明は、無線局間で、その間に無線リンクを確立することにより、この無線リンクを介し、データ通信を行なう無線システムであって、既に無線リンクが確立している屋外ユニットを有する無線局に、新たな無線リンクを確立するための屋外ユニットを設けて、新たな無線リンクを確立するための屋外ユニットに通話手段を接続するとともに、無線局の屋内ユニットに通話手段を接続し、無線局の屋内ユニットに、無線局の新たな無線リンクを確立するための屋外ユニットでの通話手段と無線局の屋内ユニットでの通話手段と既に無線リンクが確立している屋外ユニットとのいずれか２つを選択する通話信号音声回線接続先切替回路を設け、音声回線接続先切替回路により、新たな無線リンクを確立するための屋外ユニットでの通話手段と既に無線リンクが確立されている屋外ユニットとの間の音声回線と、屋内ユニットでの通話手段と既に無線リンクが確立している屋外ユニットとの間の音声回線とのいずれかを適宜選択して、既に確立している無線リンクを含む無線局間の通話のための回線を設定可能としたものである。
【００１６】
そして、既に確立している無線リンクを含む前記無線局間の通話のための回線では、夫々の通話手段からの通話信号や他の無線局から夫々の通話手段への通話信号は、これら通話信号の識別信号とともに、既に確立している無線リンクを介して伝送される上記情報信号と同じ帯域とするインバンドで伝送されるものである。
【００１７】
【発明の実施の形態】
以下、本発明の実施形態を図面により説明する。
図１は本発明による無線システムの一実施形態の音声通話回線構成を示す図であって、２つの無線局Ａ，Ｂとの間の関係を示しており、１はＯＤＵ（屋外ユニット）、２はハンドセット、３，４は信号線、５はＩＤＵ（屋内ユニット）、６は無線部、７は音声回線接続先切替回路、８は信号線、９はハンドセット、１０は信号線、１１はＯＤＵ、１２はハンドセット、１３，１４は信号線、１５はＩＤＵ、１６はハンドセット、１７は信号線、１８は公衆回線網（ＰＳＴＮ）、１９，２０は信号線である。
【００１８】
ここで、この実施形態はＰ−Ｐ方式の無線システムとし、図示する無線局Ａ，Ｂ間で無線リンクを立ち上げる場合のオーダーワイヤ接続方法を説明するものである。無線局Ａ，Ｂは同様の構成をなすものであるが、その一方、ここでは、無線局Ａの方について、構成をより詳細に示している。
【００１９】
図１において、無線局Ａでは、ＯＤＵ１は音声信号を生成するハンドセット２が、通話手段として、信号線３で取外し可能に接続されており、ＯＤＵ１に接続されたハンドセット２で生成された音声信号は、ＩＤＵ５・ＯＤＵ１間の接続ケーブル４を介して、ＩＤＵ５の無線部６に供給される。
【００２０】
ここで、この音声信号を送る信号線４としては、かかる音声信号の専用ケーブルであってもよいし、また、通常のデータ信号用のケーブルであってもよい。但し、データ信号用のケーブルを用いてこの音声信号を制御部６に送る場合には、この音声信号をデータ信号のキャリア周波数とは異なるキャリア周波数帯の変調波形とし、データ信号に重畳して送るようにしてもよい。なお、この重畳する方式をとる場合の音声信号の変調方式としては、ＡＳＫ（Amplitude shift keying）のような簡単な回路で変復調が可能な方式が好ましい。
【００２１】
無線部６では、ハンドセット２からの音声信号をＩＤＵ５，ＯＤＵ１間の上記の接続方法に応じた方法で送受信する回路を備え、この音声信号を音声回線接続先切替回路７へ信号線８を介して供給する。また、この音声回線接続先切替回路７は、信号線１０により、通話手段としてのハンドセット９が、取り外し可能に、接続されており、さらに、公衆回線（PSTN）１８に接続された信号線２０も接続されている。
【００２２】
この音声回線接続先切替回路７では、これら保守者の必要に応じて、次の表１に示すように動作する。
【００２３】
【表１】
0004189170.tif 000002
次に、この表１に示す各動作について説明する。
【００２４】
＃▲１▼：ＯＤＵ１でのアンテナの方向を調整する図示しない保守者（以下、ＯＤＵ１担当の保守者という：他の無線局についても同様）とＩＤＵ５でこのＯＤＵ１の受信状態を監視する図示しない保守者（以下、ＩＤＵ５担当の保守者という：他の無線局についても同様）との間で音声通信（通話）を行なうことができ、この場合には、ＯＤＵ１のハンドセット２でＩＤＵ５のハンドセット９への発呼操作を行なうことにより、音声回線接続先切替回路７がこのＩＤＵ５での保守者のハンドセット９に接続された信号線１０を選択することにより、信号線３，４，８，１０による音声回線を形成し、信号線８から供給される音声信号をハンドセット９に供給する。この場合、ハンドセット９で生成された音声信号も、このハンドセット９でＯＤＵ１のハンドセット２への発呼操作をすることにより、かかる音声回線を介してＯＤＵ１のハンドセット２に供給される。このことは、他の無線局Ｂについても同様であり、従って、同じ無線局でのＯＤＵ担当の保守者とＩＤＵ担当の保守者との通話が可能となる。
【００２５】
＃▲２▼：また、音声回線接続先切替回路７は図示しない送受信部と信号線２０を介して公衆回線１８にも接続されており、同様にして、無線局Ｂにおいても、ＩＤＵ１５の図示しない音声回線接続先切替回路が図示しない送受信部と信号線１９とを介して公衆回線１８と接続されている。このため、無線局Ａでの音声回線接続先切替回路７が信号線２０を選択すると、受信部６からの音声信号がこの信号線２０，公衆回線１８，信号線１９を介して無線局Ｂの送受信部に送られる。この無線局Ｂでは、この受信されて音声信号が音声回線接続先切替回路に供給されるが、この音声回線接続先切替回路は、送受信部からの音声信号に付加されている宛先情報に応じて、この音声信号をＯＤＵ１１のハンドセット１２あるいはＩＤＵ１５のハンドセット１６に送る。従って、ハンドセット２で生成された音声信号が上記の回線を介してハンドセット１２に送信され、また、逆にハンドセット１２で生成された音声信号が上記の回線を介してハンドセット２に送信されることにより、無線局ＡのＯＵＤ１担当の保守者と無線局ＢのＯＤＵ１１担当の保守者との間で通話が可能となる。
【００２６】
なお、このように公衆回線網１８を介して無線局Ａ，ＢのＯＤＵ１，１１間で通話が行なわれる場合には、これと同時に、音声回線接続先切替回路７は信号線１０も選択でき、ＩＤＵ５担当の保守者がこの通話をモニタ可能な構成とすることができる。これにより、無線局Ａ，ＢのＯＤＵ１，１１間での音声通話の最中でも、通話内容に応じたＩＤＵ５の設定操作が可能になり、作業効率のさらなる向上が望める。
【００２７】
＃▲３▼：公衆回線網１８を介した他の無線局Ｂに対する通話の発呼は、ＩＤＵ５，１５のハンドセット９，１６からも実行できる。このため、かかる発呼操作がなされたときには、ハンドセット９から信号線１０，２０，公衆回線網１８，信号線１９，無線局ＢでのＩＤＵ１５，信号線１７を介したハンドセット１６までの音声回線が形成されることになり、異なる無線局Ａ，Ｂ間のＩＤＵ担当の保守者同士が音声通話が可能となって、互いに連絡をとり合うことができる。このように音声通話が行なわれると、その後はＩＤＵ担当の保守者の操作次第で音声回線を自由に切り替えることができるので、無線局ＡのＯＤＵ１やＩＤＵ５と無線局ＢのＯＤＵ１１やＩＤＵ１５との任意の２点間での音声通話が可能となる。
【００２８】
次に、本発明による無線システムの他の実施形態について説明する。この実施形態は、メッシュ型無線システムとするものであって、ここでは、かかる無線システムでのオーダーワイヤ接続方法について説明するものであるが、その説明に先立って、まず、図２により、メッシュ型無線システムについて、その概念を簡単に説明する。
【００２９】
メッシュ型無線システムは、図２（ａ）に示すように、複数の無線局３１，３３を無線リンク３２で接続することにより、メッシュ型のネットワークトポロジーを構築するものである。ネットワークを構成する１つ以上の無線局３３は基幹網３０に接続される。
【００３０】
これら無線局３１，３３は、図２（ｂ）に示すように、隣接する（即ち、無線リンク３２（図２（ａ））で接続される）各方向の他の無線局と無線通信するための無線機３４とこれら無線機３４に接続されたルータ３６とを備え、各無線機３４は隣接する各方向の他の無線局のアンテナに向けて指向性を絞ったアンテナ３５により、これら他の無線局の無線機と無線接続される。また、ルータ３６はＬＡＮ（ローカルエリアネットワーク）３７に接続され、このＬＡＮ３７とのデータ授受を行なうとともに、他の無線局宛のデータについては中継処理を行ない、送信先の無線局が存在する方向にアンテナ３５が向いた無線機３４からデータを送出する。つまり１つ１つの無線リンクはＰ−Ｐ方式であるが、全体としてはメッシュ型のネットワークトポロジーとなっている。
【００３１】
図３は本発明によるメッシュ型無線システムの他の実施形態の音声通話回線構成を示す図であって、１ａ，１１ａはＯＤＵ、４ａ，１４ａは信号線、２１は信号線、２２はＬＡＮ、２３はメッシュ型無線アクセス網、２４，２５は既設の無線リンク、２６は新規の無線リンクであり、図１に対応する部分には同一符号を付けて重複する説明を省略する。
【００３２】
同図において、無線局Ａ，Ｂも、無線局Ｃ，Ｄと同様、メッシュ型無線アクセス網２３を構成するものである。そして、無線局Ａは、ＯＤＵ１ａにより、無線局Ｃとの間に既に無線リンク２４が確立されており、また、無線局Ｂも、ＯＤＵ１１ａにより、無線局Ｄとの間に既に無線リンク２５が確立されている。従って、ＯＤＵ１ａ−無線リンク２４−無線局Ｃ−……−無線局Ｄ−無線リンク２５−ＯＤＵ１１ａの経路により、無線局Ａ，Ｂ間のデータ通信が可能である。
【００３３】
この実施形態は、図３において、かかるメッシュ型無線アクセス網２３において、既設の無線局Ａ，Ｂ間で直接データの通信を可能とするために、無線局ＡにＯＤＵ１を、無線局ＢにＯＤＵ１１を夫々設けて新規の無線リンク２６を確立する際に、これらＯＤＵ１，１１のアンテナが互いに精度良く向かい合うように、これらアンテナの向きを調整して新規の無線リンク２６を確立する際の保守者の通話を可能とする音声通話回線構成に関するものである。
【００３４】
ここで、メッシュ型無線アクセス網２３に既に接続されている各無線局は図２（ｂ）に示す構成をなすものであり、設置されているＯＤＵ毎に図２（ｂ）で示すような無線機３４やアンテナ３５，ルータ３６，ＬＡＮ３７を備えている。無線局Ａに示すＬＡＮ２２はこのＬＡＮ３７に相当するものである。
【００３５】
既にメッシュ型無線アクセス網２３との接続が確立している各無線局は夫々固有のアドレスを有するルータを備えており、このため、音声通信を希望する無線局に割り当てられたかかるアドレス宛にパケット化された音声データを送ることにより、メッシュ型無線アクセス網２３による音声通信ができ、インバンド(データ通信の帯域内での伝送）でのオーダーワイヤ通信が可能になる。これは、新規の無線リンクを新規に確立する無線局Ａ，Ｂについても同様である。なお、送信先を指定するためのアドレスとしては、適用するシステムに応じて、EtherネットのＭＡＣ(Media Access Control)アドレスでもよいし、ＩＰ(Internet Protocol)アドレスでもよいが、この実施形態では、メッシュ型無線アクセス網２３をＩＰネットワークとし、上記のアドレスをＩＰアドレスとして、以下、説明する。
【００３６】
メッシュ型無線アクセス網２３に接続された無線局Ａ，Ｂ間で新規に無線リンク２６を構築する場合には、無線局ＡのＯＤＵ１と無線局ＢのＯＤＵ１１との設置時のアンテナの方向調整を行なう際に必要となる保守者間の音声通話回線は、上記のように、無線局Ａ，Ｂに既設のＯＤＵ１ａ，１１ａを用いたインバンドでのオーバーワイヤ通信により、他の通信システムに依存することなく、独自のメッシュ型無線アクセス網２３だけで実現可能となる。
【００３７】
なお、無線リンクの設置時のみならず、既設の無線リンクの保守を目的とする無線局間の音声通話も、音声のＩＰ化により、実現可能であることはいうまでもない。
【００３８】
図４は図３における無線機ＡでのＩＤＵ５の一具体例を示す構成図であって、７ａは音声回線接続先切替回路、６ａは無線部、８ａは信号線、２７はルータ、２８は音声／ＩＰ変換回路、２９ａ〜２９ｃは信号線であり、前出図面に対応する部分には、同一符号を付けて重複する説明を省略する。
【００３９】
同図において、無線部６ａは、図１での無線部６に相当するものであって、信号線４，４ａを介してＯＤＵ１，１ａ（図３）に接続されている。音声回線接続先切替回路７ａは、図１での音声回線接続先切替回路７に相当するものであって、信号線８ａを介して無線部６ａに接続されている。また、この音声回線接続先切替回路７ａは、信号線２０を介して公衆回線網１８（図３）に接続されており、さらに、信号線１０を介して、取り外し可能に、ＩＤＯ５担当の保守者（図示せず）のためのハンドセット９が接続される。
【００４０】
以上の構成は、図１におけるＩＤＵ５と同様であるが、この実施形態では、さらに、信号線２９ａを介して無線部６ａにルータ２７（図２（ｂ）でのルータ３６に相当する）が接続され、また、信号線２９ｂを介して音声回線接続先切替回路７ａに音声／ＩＰ変換回路２８が接続されている。そして、ルータ２７は、信号線２１を介してＬＡＮ２２（図３）に接続され、また、信号線２９ｃを介して音声／ＩＰ変換回路２８に接続されている。音声回線接続先切替回路７ａは、状況に応じて信号線８ａ，１０，２０，２９ｂのいずれか選択し、所定の音声回線を確立する。
【００４１】
なお、以上の構成は、メッシュ型無線アクセス網２３に接続される図２（ａ）に示すような各無線局３１，３３のＩＤＵについて同様である。
【００４２】
以下、図３も参照して説明すると、ＯＤＵ１と無線部６ａとを接続する信号線４は、このＯＤＵ１担当の保守者のハンドセット２との通話のための音声信号（以下、通話信号という）をアウトバンド（伝送データの帯域以外の信号帯域）で通し、また、ＯＤＵ１ａと無線部６ａとを接続する信号線４ａは、他の無線局Ｂとの通話信号をインバンド（伝送データの帯域内でこの伝送データに挿入して伝送）で通す。
【００４３】
無線部６ａは、信号線４からのアウトバンドの通話信号を抽出して音声回線接続先切替回路７ａに供給するが、信号４ａからのインバンドの通話信号はＬＡＮ２２に供給すべきユーザ情報などのデータと区別することができないため、無線フレームから抽出した情報信号として、信号線２９ａを介し、ルータ２７に供給する。
【００４４】
ルータ２７は、無線部６ａから供給される情報信号から、ＩＰヘッダ情報やデータグラム内部に挿入された識別情報などを参照することにより、伝送データとしてのユーザ情報を信号線２１を介してＬＡＮ２２に出力し、また、通話信号を、ＩＰパケット化された音声情報として、音声／ＩＰ変換回路２８に出力する。
【００４５】
音声／ＩＰ変換回路２８は、ルータ２７からのＩＰパケットを音声信号へ変換して、これを音声回線接続先切替回路７ａに供給し、また、音声回線接続先切替回路７ａからの通話のための音声信号をＩＰパケットヘ変換し、信号線２９ｃを介してルータ２７に供給する。ＩＰパケット化されたこの音声信号は、このユーザ情報に対して識別できるようにする識別情報が付加されて、ＬＡＮ２２から信号線２１を介して供給されるユーザ情報からなる伝送データの無線フレームに挿入され、インバンドの通話信号として信号線２９ａを介して無線部６ａに供給される。無線部６ａは、このようにインバンドで通話信号が挿入された伝送データを信号線４ａを介して既存のＯＤＵ１ａに供給し、無線局Ｂへ伝送させる。
【００４６】
次に、音声回線接続先切替回路７ａの動作について説明するが、その動作をまとめると、次の表２で示されるようになる。
【００４７】
【表２】
0004189170.tif 000003
なお、表２に動作は、保守者による音声回線接続先切替回路７ａの設定変更により切替可能な音声回線の接続方法であり、表２中の「経路」の項目における［in]，[out］で示す信号線は夫々、インバンド，アウトバンドによる通話信号の通信によるものであることを示すものである。
【００４８】
ここで、上記表２での各動作＃１〜＃５について説明する。
【００４９】
＃１：これは、無線局ＡのＯＤＵ１担当の保守者がハンドセット２を用いて、公衆回線網１８を介し、他の無線局Ｂと通話する場合であり、この場合には、図１に示した実施形態と同様、音声回線接続先切替回路７ａが無線部６ａ側の信号線８ａと公衆回線網１８側の信号線２０とを選択するものである。これにより、ハンドセット２から信号線３，４，８ａ，２０，公衆回線網１８，……の音声回線が形成されることになり、ＯＤＵ１から公衆回線網１８を介して他の無線局Ｂとの間の保守者同士の音声通話が可能となって、互いに連絡をとり合うことができる。
【００５０】
なお、このように、ＯＤＵ１担当の保守者が公衆回線網１８を介して他の無線局Ｂの保守者と通話が行なわれる場合には、これと同時に、音声回線接続先切替回路７ａは信号線１０も選択でき、ＩＤＵ５担当の保守者がこの通話をモニタ可能な構成とすることができる。これにより、ＯＤＵ１担当の保守者と無線局Ｂの保守者との音声通話の最中でも、通話内容に応じたＩＤＵ５の設定操作が可能になり、作業効率のさらなる向上が望める。
【００５１】
＃２：これは、同じ無線局Ａ内のＯＤＵ１担当の保守者とＩＤＵ５担当の保守者との間で通話をする場合であり、この場合には、図１に示した実施形態と同様、音声回線接続先切替回路７ａが無線部６ａ側の信号線８ａとＩＤＵ５担当の保守者のハンドセット９側の信号線１０とを選択するものである。これにより、ハンドセット２から信号線３，４，８ａ，１０の音声回線が形成されることになり、ＯＤＵ１とＩＤＵ５との担当保守者同士の音声通話が可能となって、互いに連絡をとり合うことができる。
【００５２】
＃３：これは、無線局ＡのＩＤＵ５担当の保守者がハンドセット９を用いて、公衆回線網１８を介し、他の無線局Ｂと通話する場合であり、この場合には、図１に示した実施形態と同様、音声回線接続先切替回路７ａがこのハンドセット９側の信号線１０と公衆回線網１８側の信号線２０とを選択するものである。これにより、ハンドセット９から信号線１０，２０，公衆回線網１８，……の音声回線が形成されることになり、ＩＤＵ５から公衆回線網１８を介して他の無線局Ｂとの間の保守者同士の音声通話が可能となって、互いに連絡をとり合うことができる。
【００５３】
メッシュ型無線システムにおいても、その最初の２つの無線局間で無線リンクを立ち上げるときには、上記の動作＃１〜＃３を用いるものであって、Ｐ−Ｐ方式の場合と同様のオーダーワイヤ接続方法となる。
【００５４】
これに対し、動作＃４，＃５は、既設のメッシュ型無線システム網２３を利用し、インバンドで通話信号を伝送することによって相手無線局Ｂとの通話をするものであって、図１で示した実施形態と異なる点である。
【００５５】
＃４：これは、ＩＤＵ５のハンドセット９で他の無線局Ｂと、インバンドの通話信号でもって、通信を行なう場合のものである。この場合には、音声回線接続先切替回路７ａはハンドセット９側の信号線１０と音声／ＩＰ変換回路２８側の信号線２９ｂとを選択する。これにより、ハンドセット９から信号線１０，２９ｂ，２９ｃ，２９ａ，４ａを介してＯＤＵ１ａに至る音声回線が形成されることになる。この音声回線では、上記のように、ハンドセット９で生成された通話信号が音声／ＩＰ変換回路２８でパケット化され、ルータ２７でユーザ情報の無線フレームに挿入され、無線部６ａからＯＤＵ１ａなどを介してインバンドで送信されることになり、また、ＯＤＵ１ａと無線部６ａで受信された他の無線局Ｂからのインバンドによる通話信号は、ルータ２７で無線フレームから抽出され、音声／ＩＰ変換回路２８でＩＰパケットから音声信号に変換されてハンドセット９に供給される。
【００５６】
このようにして、既設のＯＤＵ１ａ，１１ａを利用して２つの無線局Ａ，ＢでのＩＤＵ担当の保守者間で音声通信（通話）することも、可能となる。
【００５７】
＃５：これは、ＯＤＵ１のハンドセット２で他の無線局Ｂと、インバンドの通話信号でもって、通信を行なう場合のものである。この場合には、音声回線接続先切替回路７ａは無線部６ａ側の信号線８ａと音声／ＩＰ変換回路２８側の信号線２９ｂとを選択する。これにより、ハンドセット２から信号線３，４，８ａ，２９ｂ，２９ｃ，２９ａ，４ａを介してＯＤＵ１ａに至る音声回線が形成されることになる。この音声回線では、上記のように、ハンドセット２で生成された通話信号が信号線４をアウトバンドで無線部６ａに伝送され、ここで分離されて信号線８ａ，２９ｂを通り、音声／ＩＰ変換回路２８でパケット化されて、後は動作＃４の場合と同様に、ルータ２７でユーザ情報の無線フレームに挿入され、無線部６ａから信号線４ａやＯＤＵ１ａなどを介してインバンドで送信されることになり、また、ＯＤＵ１ａと無線部６ａで受信された他の無線局Ｂからのインバンドによる通話信号は、ルータ２７で無線フレームから抽出され、音声／ＩＰ変換回路２８でＩＰパケットから音声信号に変換されて音声回線接続先切替回路７ａに供給され、さらに、信号線８ａから無線部６ａに供給され、アウトバンドで信号線４を通ってＯＤＵ１のハンドセット２に供給される。
【００５８】
この場合、音声回線接続先切替回路７ａは信号線１０も選択でき、ＩＤＵ５担当の保守者も居る場合、この保守者がこの通話をモニタ可能な構成とすることができる。これにより、ＯＤＵ１担当の保守者と無線局Ｂの保守者との音声通話の最中でも、通話内容に応じたＩＤＵ５の設定操作が可能になり、作業効率のさらなる向上が望める。
【００５９】
このようにして、既設のＯＤＵ１ａ，１１ａを利用して２つの無線局Ａ，ＢでのＯＤＵ担当の保守者間で音声通信（通話）することも、可能となる。
【００６０】
【発明の効果】
以上説明したように、本発明によれば、無線システムにおける保守者間の音声通話回線の確保が容易に実現できるので、無線局の新たな設置やその他の保守作業の効率のさらなる向上が可能になる。
【００６１】
また、特に、メッシュ型無線アクセス網においては、保守者間の音声通話を他社回線を全く必要とせず、このメッシュ型無線アクセス網を利用して実現することができる。
などの利点がある。
【図面の簡単な説明】
【図１】本発明による無線システムの一実施形態における音声通話回線構成を示す図である。
【図２】メッシュ型無線システムの説明図である。
【図３】本発明による無線システムの他の実施形態における音声通話回線構成を示す図である。
【図４】図３におけるＩＤＵ（屋内ユニット）の一具体例を示す構成図である。
【図５】従来の無線システムにおける音声通話方法の説明図である。
【符号の説明】
１，１ａ  ＯＤＵ（屋外ユニット）
２  ハンドセット
３，４，４ａ  信号線
信号線
５  ＩＤＵ（屋内ユニット）
６，６ａ  無線部
７，７ａ  音声回線接続先切替回路
８，８ａ  信号線
９  ハンドセット
１０  信号線
１１，１１ａ  ＯＤＵ
１２  ハンドセット
１３，１４，１４ａ  信号線
１５  ＩＤＵ
１６  ハンドセット
１７  信号線
１８  公衆回線網（ＰＳＴＮ）
１９〜２１  信号線
２２  ＬＡＮ
２３  メッシュ型無線アクセス網
２４，２５  既設の無線リンク
２６  新規の無線リンク
２７  ルータ
２８  音声／ＩＰ変換回路
２９ａ〜２９ｃ  信号線
【図１】
0004189170.tif 000004
【図２】
0004189170.tif 000005
【図３】
0004189170.tif 000006
【図４】
0004189170.tif 000007
【図５】
0004189170.tif 000008